(57)【要約】【課題】  工具の位置および角度を変更操作する操作部の操作性が良く、工具に切削力が作用してもその力が操作部に伝達されず、工具の位置および角度の変更を軽い力で行える屈曲型加工ツールを提供する。【解決手段】  ハンドピース４に細長形状のガイド部３の基端を連結する。ガイド部３の先端に、ガイド部３に対して屈曲可能に先端部材を設ける。先端部材に、工具を回転自在に支持させる。ガイド部３は、内部に、軸方向に進退して先端部材の屈曲角度を変更するロッド部材２４と、工具回転用駆動源６０の回転を工具に伝達する工具用回転軸２３とを有する。ハンドピース４に回転自在に設けられたダイヤル部材６を操作者の手により回転操作することで、ロッド部材２４を進退させる。先端部材に作用する力によりダイヤル部材６が回転しないようにする逆入力防止機構８７を設ける。【選択図】        図７
2015221476.tif 000002
【特許請求の範囲】
【請求項１】
細長形状のガイド部と、このガイド部の基端が連結されたハンドピースと、前記ガイド部の先端にこのガイド部に対して屈曲可能に設けられ工具を回転自在に支持する先端部材と、前記工具を回転させる工具回転用駆動源と、前記先端部材の屈曲角度を変更操作する屈曲操作手段とを備え、
前記ガイド部は、このガイド部の外郭となる外郭パイプと、この外郭パイプ内を軸方向に進退して前記先端部材の屈曲角度を変更するロッド部材と、前記工具回転用駆動源の回転を前記工具に伝達する工具用回転軸と、この工具用回転軸を内包する内部パイプとを有し、
前記屈曲操作手段は、前記ハンドピースに回転自在に設けられ操作者の手による回転操作が可能なダイヤル部材と、このダイヤル部材の回転動作を前記ロッド部材の進退動作に変換する動作変換機構とを有する構成であり、前記先端部材に作用する力により前記ダイヤル部材が回転しないようにする逆入力防止機構を設けたことを特徴とする屈曲型加工ツール。
【請求項２】
請求項１に記載の屈曲型加工ツールにおいて、前記逆入力防止機構は、前記ダイヤル部材と一体に回転するウォームと、このウォームと噛み合って前記ロッド部材へ動作を伝達するウォームホイールとで構成される屈曲型加工ツール。
【請求項３】
請求項２に記載の屈曲型加工ツールにおいて、前記屈曲操作手段は、前記ウォームと、前記ウォームホイールと、このウォームホイールと同軸で設けられて一体に回転するピニオンと、このピニオンと噛み合い、前記ロッド部材の基端側に一体に設けられて前記ハンドピースに対して前記ロッド部材の長さ方向に進退自在なラックとを有する屈曲型加工ツール。
【請求項４】
請求項２または請求項３に記載の屈曲型加工ツールにおいて、前記ダイヤル部材および前記ウォームの回転軸心は、前記工具回転用駆動源の回転軸心に対して垂直な面内に位置する屈曲型加工ツール。
【請求項５】
請求項１ないし請求項４のいずれか１項に記載の屈曲型加工ツールにおいて、前記ダイヤル部材を前記ハンドピースの上面部に設けた屈曲型加工ツール。
【請求項６】
請求項１ないし請求項５のいずれか１項に記載の屈曲型加工ツールにおいて、前記工具回転用駆動源および前記屈曲操作手段を前記ハンドピースに設けた屈曲型加工ツール。
【請求項７】
請求項１ないし請求項５のいずれか１項に記載の屈曲型加工ツールにおいて、前記屈曲操作手段を前記ハンドピースに設け、前記工具回転用駆動源を前記ハンドピースから離して設け、前記工具回転用駆動源と前記工具用回転軸とを可撓性の工具回転用ケーブルで回転伝達可能に連結した屈曲型加工ツール。
【請求項８】
請求項７に記載の屈曲型加工ツールにおいて、前記工具回転用ケーブルは、可撓性のアウタチューブの内部に、両端がそれぞれ回転の入力端および出力端となる可撓性のインナワイヤを複数の転がり軸受によって回転自在に支持し、隣合う転がり軸受間に、これら転がり軸受の内輪に予圧を与える内輪用ばね部材と、外輪に予圧を与える外輪用ばね要素とを介在させ、これら内輪用ばね要素および外輪用ばね要素を前記インナワイヤの長さ方向にわたり交互に配置した屈曲型加工ツール。
【請求項９】
請求項１ないし請求項８のいずれか１項に記載の屈曲型加工ツールにおいて、前記工具用回転軸は軸心方向に貫通する貫通孔を有するパイプであり、前記先端部材から切削物を吸引して前記工具用回転軸の前記貫通孔内を通って前記ハンドピースから排出するサクション手段を設け、関節鏡視下により骨または軟組織を切削するために用いられる医療用整形ツールとした屈曲型加工ツール。
【発明の詳細な説明】
【技術分野】
【０００１】
この発明は、関節鏡視下手術等において奥まった部位の骨や軟組織を切除するための医療用整形ツール、あるいは内径部等の奥まった部位の加工やバリ取り等を行うための工業用加工ツールとして用いられる屈曲型加工ツールに関する。
【背景技術】
【０００２】
低侵襲手術の１つとして行われる関節鏡視下手術では、細長形状のガイド部の先端に工具が設けられた医療用整形ツールが使用されている。奥まった位置の骨の切削や軟組織の切除を行うためには、予めガイド部が湾曲している医療用整形ツールが使用される。求められるガイド部の湾曲角度は患者ごとに異なるため、複数の湾曲角度が異なる医療用整形ツールを準備する必要がある。また、これらのガイド部が湾曲している医療用整形ツールは、従来、湾曲角度が固定であったため、工具を奥まった位置まで挿入しようとすると、ハンドピースの移動量が大きくなるという課題がある。
【０００３】
また、工業分野では、金属や非金属の切削加工において、一般の工具では届かない部位の加工やバリ取り作業が必要な場合がある。例えば、ボールねじの内径面のバリ取り作業は非常に困難である。このような内径部等の奥まった部位の加工に、前記医療用整形ツールと良く似た構造の加工ツールが用いられる。この工業用加工ツールも、医療用整形ツールと同様の課題がある。
【０００４】
これら工業用加工ツールおよび医療用整形ツールの課題を解決するために、特許文献１、２のように、ガイド部の先端に設けられた工具の角度が可変とした屈曲型加工ツールが提案されている。
【先行技術文献】
【特許文献】
【０００５】
【特許文献１】特許２５５２３１０号
【特許文献２】特開平９−１２００３２号公報
【発明の概要】
【発明が解決しようとする課題】
【０００６】
しかし、特許文献１、２に記載の屈曲型加工ツールは、工具の角度をワイヤにより変更操作するため、工具の角度保持剛性が低く、切削力が作用すると工具が逃げてしまい、切削性が低下する問題がある。また、切削力が作用すると操作部にその力が伝達され、操作者が工具の角度を維持するために労力が必要となる。屈曲型加工ツールが医療用整形ツールである場合、目的とは異なる部位の切除を避けるため、操作者は医療用整形ツールのハンドピースをしっかり握って手術を行う。そのような状況で、工具の角度を適正に変更操作するためには、ハンドピースを握った状態でも操作部の操作は可能で、しかも軽い力で操作部を操作できることが要求される。屈曲型加工ツールが工業用加工ツールである場合も、正確な位置を加工するためには、医療用整形ツールである場合と同様のことが要求される。
【０００７】
この発明の目的は、工具の位置および角度を変更操作する操作部の操作性が良く、工具に切削力が作用してもその力が操作部に伝達されず、工具の位置および角度の変更を軽い力で行える屈曲型加工ツールを提供することである。
この発明の他の目的は、屈曲型加工ツールを医療用整形ツールとして使用する場合に、奥まった位置の骨の切削や軟組織の切除を良好に行えるようにすることである。
【課題を解決するための手段】
【０００８】
この発明にかかる屈曲型加工ツールは、細長形状のガイド部と、このガイド部の基端が連結されたハンドピースと、前記ガイド部の先端にこのガイド部に対して屈曲可能に設けられ工具を回転自在に支持する先端部材と、前記工具を回転させる工具回転用駆動源と、前記先端部材の屈曲角度を変更操作する屈曲操作手段とを備える。前記ガイド部は、このガイド部の外郭となる外郭パイプと、この外郭パイプ内を軸方向に進退して前記先端部材の屈曲角度を変更するロッド部材と、前記工具回転用駆動源の回転を前記工具に伝達する工具用回転軸と、この工具用回転軸を内包する内部パイプとを有する。前記屈曲操作手段は、前記ハンドピースに回転自在に設けられ操作者の手による回転操作が可能なダイヤル部材と、このダイヤル部材の回転動作を前記ロッド部材の進退動作に変換する動作変換機構とを有する構成であり、前記先端部材に作用する力により前記ダイヤル部材が回転しないようにする逆入力防止機構が設けられている。
【０００９】
この構成によると、先端部材に設けられた工具の回転により、人体の骨、工業製品等の被加工物の加工が行われる。その際、操作者の手によりダイヤル部材を回転操作することで、ガイド部に対する先端部材の屈曲角度を変更する。それにより、工具の位置および角度が変更される。先端部材に作用する力によりダイヤル部材が回転しないようにする逆入力防止機構が設けられているので、工具に切削力が作用してもその力がダイヤル部材に伝達されることがなく、操作者が先端部材の屈曲角度を維持するための労力を必要としない。そのため、先端部材の屈曲角度の変更を軽い力で行うことができ、正確な加工が可能となる。また、先端部材の屈曲角度を剛性体であるロッド部材で操作する構成としたことにより、先端部材の角度保持剛性が高くなり、座屈等の心配もないため、切削性が良く、安全性が高い。
【００１０】
この発明において、前記逆入力防止機構は、前記ダイヤル部材と一体に回転するウォームと、このウォームと噛み合って前記ロッド部材へ動作を伝達するウォームホイールとで構成すると良い。
ウォームの歯の進み角を小さくすることで、逆入力すなわちウォームホイール側からウォーム側への回転伝達を防止でき、高い減速比をとれることから軽い力で先端部材の屈曲操作は可能となり、操作性の良い屈曲操作手段を実現できる。
【００１１】
この発明において、前記屈曲操作手段は、前記ウォームと、前記ウォームホイールと、このウォームホイールと同軸で設けられて一体に回転するピニオンと、このピニオンと噛み合い、前記ロッド部材の基端側に一体に設けられて前記ハンドピースに対して前記ロッド部材の長さ方向に進退自在なラックとを有する構成とするのが良い。
この構成とすると、屈曲操作手段をコンパクトな構成とすることができ、かつロッド部材の進退を容易に行うことができる。
【００１２】
この発明において、前記ダイヤル部材および前記ウォームの回転軸心は、前記工具回転用駆動源の回転軸心に対して垂直な面内に位置すると良い。
この場合、ハンドピースを握る手の指を工具回転用駆動源の回転軸心と平行に動かすことで、ダイヤル部材を回転操作することが可能となる。そのため、操作者がハンドピースをしっかり握った状態でも、ダイヤル部材を良好に操作できる。
【００１３】
この発明において、前記ダイヤル部材を前記ハンドピースの上面部に設けると良い。
ダイヤル部材がハンドピースの上面部に設けられていると、ハンドピースにほとんど添えているだけである人差し指を工具回転用駆動源の回転軸心と平行に動かしてダイヤル部材を回転操作することが可能となり、ダイヤル部材の操作性が良い。
【００１４】
この発明において、前記工具回転用駆動源および前記屈曲操作手段を前記ハンドピースに設けると良い。
この場合、ハンドピースの外部に設けられる部品点数を減らして、屈曲型加工ツール全体の構成を簡略にできる。
【００１５】
上記構成に代えて、前記屈曲操作手段を前記ハンドピースに設け、前記工具回転用駆動源を前記ハンドピースから離して設け、前記工具回転用駆動源と前記工具用回転軸とを可撓性の工具回転用ケーブルで回転伝達可能に連結しても良い。
この場合は、ハンドピースを小型化、軽量化して、操作者の負担を軽減させることができる。また、工具回転用駆動源のような電気部品をハンドピースから離れた清潔な領域に設置することが可能となり、工具回転用駆動源およびその周辺の部品の滅菌が不要となるため、メンテナンス性が向上し、工具回転用駆動源等のコスト低減を図れる。
【００１６】
前記工具回転用ケーブルは、可撓性のアウタチューブの内部に、両端がそれぞれ回転の入力端および出力端となる可撓性のインナワイヤを複数の転がり軸受によって回転自在に支持し、隣合う転がり軸受間に、これら転がり軸受の内輪に予圧を与える内輪用ばね部材と、外輪に予圧を与える外輪用ばね要素とを介在させ、これら内輪用ばね要素および外輪用ばね要素を前記インナワイヤの長さ方向にわたり交互に配置すると良い。
加工の仕上がりを良くするには、工具を高速回転させて加工するのが良い。工具を高速回転させると、工具に作用する切削抵抗を低減させる効果もある。工具の高速回転を実現させるには、インナワイヤを支持する転がり軸受に予圧をかけておくことが必要であり、この予圧のためのばね要素を隣合う転がり軸受間に設ければ、工具回転用ケーブルの径を大きくせずにばね要素を設けることができる。
【００１７】
この発明の屈曲型加工ツールは、前記工具用回転軸を軸心方向に貫通する貫通孔を有するパイプとし、前記先端部材から切削物を吸引して前記工具用回転軸の前記貫通孔内を通って前記ハンドピースから排出するサクション手段を設けることで、関節鏡視下により骨または軟組織を切削するために用いられる医療用整形ツールに適用できる。特に、空間の狭い膝関節やひじ関節の手術における奥まった位置の骨の切削な軟組織の切除に適する。
【発明の効果】
【００１８】
この発明の屈曲型加工ツールは、細長形状のガイド部と、このガイド部の基端が連結されたハンドピースと、前記ガイド部の先端にこのガイド部に対して屈曲可能に設けられ工具を回転自在に支持する先端部材と、前記工具を回転させる工具回転用駆動源と、前記先端部材の屈曲角度を変更操作する屈曲操作手段とを備え、前記ガイド部は、このガイド部の外郭となる外郭パイプと、この外郭パイプ内を軸方向に進退して前記先端部材の屈曲角度を変更するロッド部材と、前記工具回転用駆動源の回転を前記工具に伝達する工具用回転軸と、この工具用回転軸を内包する内部パイプとを有し、前記屈曲操作手段は、前記ハンドピースに回転自在に設けられ操作者の手による回転操作が可能なダイヤル部材と、このダイヤル部材の回転動作を前記ロッド部材の進退動作に変換する動作変換機構とを有する構成であり、前記先端部材に作用する力により前記ダイヤル部材が回転しないようにする逆入力防止機構を設けたため、工具の位置および角度を変更操作する操作部がコンパクトな構成であり、操作性が良く、工具に切削力が作用してもその力が操作部に伝達されず、工具の位置および角度の変更を軽い力で行える。
この発明の屈曲型加工ツールにサクション手段を設けて医療用整形ツールとした場合は、奥まった位置の骨の切削や軟組織の切除を良好に行える。
【図面の簡単な説明】
【００１９】
【図１】（Ａ）はこの発明の実施形態にかかる屈曲型加工ツールの概略構成を示す平面図、（Ｂ）はその側面図である。
【図２】同屈曲型加工ツールの先端部材およびガイド部の先端部の破断側面図である。
【図３】（Ａ）は同屈曲型加工ツールのガイド部の破断側面図、（Ｂ）はそのIIIＢ−IIIＢ断面図である。
【図４】同屈曲型加工ツールの先端側の支持部材の斜視図である。
【図５】図２のＶ−Ｖ断面図である。
【図６】図２のVI−VI断面図である。
【図７】同屈曲型加工ツールのハンドピースの破断側面図である。
【図８】図７のVIII−VIII断面図である。
【図９】図７のIX部拡大図である。
【図１０】図７のＸ−Ｘ断面図である。
【図１１】図７のXI−XI断面図である。
【図１２】図２のものとは工具が異なる屈曲型加工ツールの先端部材およびガイド部の先端部の破断側面図である。
【図１３】図２のものとはガイド部と先端部材の連結部の構造が異なる実施形態の破断側面図である。
【図１４】ガイド部と先端部材の連結部の構造がさらに異なる実施形態の破断側面図である。
【図１５】工具回転用駆動源の回転出力軸と工具用回転軸のカップリング部の異なる例を示す断面図である。
【図１６】この発明の異なる実施形態にかかる屈曲型加工ツールの概略構成を示す側面図である。
【図１７】同屈曲型加工ツールのハンドピースの破断側面図である。
【図１８】同屈曲型加工ツールの工具回転用ケーブルの断面図である。
【図１９】図１７のXIX部拡大図である。
【図２０】（Ａ）はこの発明のさらに異なる実施形態にかかる屈曲型加工ツールの概略構成を示す平面図、（Ｂ）はその側面図である。
【図２１】（Ａ）はこの発明のさらに異なる実施形態にかかる屈曲型加工ツールの概略構成を示す平面図、（Ｂ）はその側面図である。
【図２２】同屈曲型加工ツールのハンドピースの破断側面図である。
【発明を実施するための形態】
【００２０】
この発明の実施形態を図面と共に説明する。
図１（Ａ），（Ｂ）は、この発明の一実施形態にかかる屈曲型加工ツールの概略構成を示す平面図および側面図である。この屈曲型加工ツールは医療用整形ツールとして使用されるものであって、回転式の工具１を保持する先端部材２と、この先端部材２が先端に姿勢変更自在に取付けられた細長形状のガイド部３と、このガイド部３の基端が結合されたハンドピース４とを備える。ハンドピース４は、概略直方体形状をしたハウジング４ａを有し、このハウジング４ａの前面部にガイド部３の基端が連結されている。以下の説明では、先端部材２、ガイド部３、およびハンドピース４の並び方向を前後方向、この前後方向と直交する水平な方向を左右方向とする。
【００２１】
前記ハウジング４ａの上面には、ダイヤル部材６およびレバー部材７が設けられている。ダイヤル部材６は、前記先端部材２の姿勢すなわちガイド部３に対する先端部材２の屈曲角度を変更操作する屈曲操作手段７０の操作具であり、操作者の手により回転操作される。ダイヤル部材６は、基端側から先端側に向かってハンドピース４の中心軸に対して左右いずれか（図の例では右）にずれた位置に設けられている。レバー部材７は、前記工具１による切削加工で生じる切削物を吸引して排出させるサクション手段９０の操作具であり、操作者の手により基端側および先端側の方向に回動操作される。レバー部材７は、左右中央部に設けられている。
【００２２】
また、ハウジング４ａの背面からは、電気ケーブル８およびサクション用チューブ９が延びている。電気ケーブル８は、ハウジング４ａ内の後記工具回転用駆動源６０に接続される電源ケーブル、エンコーダケーブル等を束ねたものである。サクション用チューブ９は、コネクタ１０を介してハウジング４ａ内の後記ハウジング内経路９１に接続している。
【００２３】
図２は、先端部材２およびガイド部３の先端部の破断側面図である。先端部材２は、外形が略円柱形で、先端は球面状に形成されており、この球面状の先端から基端側にかけて下部の一部が切り欠かれている。先端部材２の内部には、先端部材２の軸心Ｏ１より少し下側に偏心した位置に、軸方向に延びる断面円形の工具収容孔１１が設けられている。工具収容孔１１の前部は、前記のように先端部材２の下部の一部を切り欠くことによって形成された窓部１２で外部と繋がっている。窓部１２の縁には、鋸刃状の歯１３が形成されている。工具収容孔１１の基端側は、開放されている。
【００２４】
工具１は、軸方向の中空孔１５を有する円筒状で、前記工具収容孔１１内に回転自在に嵌っている。球面状になった工具１の先端が先端部材２の工具収容孔１１の先端壁面に当接することで、工具１の軸方向に移動が抑制される。工具１の先端付近に、外周の一部が切り欠かれて窓部１６が形成されている。この窓部１６を介して、中空孔１５の前部が外部と繋がっている。工具１の窓部１６の縁には、前記先端部材２の歯１３と対応する鋸刃状の歯１７が形成されている。工具１が回転することにより、工具１の歯１７と先端部材２の歯１３が互いに相対回転して、骨または軟組織を切削する。
【００２５】
図３（Ａ）はガイド部３の一部の破断側面図、（Ｂ）はそのIIIＢ−IIIＢ断面図である。ガイド部３は、このガイド部３の外郭となる外郭パイプ２１と、この外郭パイプ２１に内包された内部パイプ２２と、この内部パイプ２２内に回転自在に挿通された工具用回転軸２３と、前記内部パイプ２２と共に前記外郭パイプ２１に内包されたロッド部材２４とを有する。図の例では、内部パイプ２２が下側、ロッド部材２４が上側に並んで配置されている。内部パイプ２２は、外郭パイプ２１の軸心Ｏ２に対して図３の下方に偏心して配置されている。外郭パイプ２１と内部パイプ２２とは、例えば溶接等により互いに固定されるが、互いの位置がずれることがなければ固定しなくても構わない。工具用回転軸２３は、ハウジング４ａ内の後記工具回転用駆動源６０の回転を前記工具１に伝達する軸であって、この実施形態の場合、軸心方向に貫通する貫通孔２３ａを有するパイプとされている。
【００２６】
図３（Ｂ）に示すように、ロッド部材２４は、長さ方向に垂直な断面の形状が矩形をしており、その上面角部の２箇所が外郭パイプ２１の内周面に摺動自在に接触し、かつ下面中央部が内部パイプ２２の外周面に摺動自在に接触している。これにより、ロッド部材２４は、外郭パイプ２１内における軸心Ｏ２と垂直面上の位置が保たれた状態で、外郭パイプ２１の軸心Ｏ２方向に進退可能である。
【００２７】
ガイド部３と先端部材２の連結部は、図２に示される。すなわち、外郭パイプ２１の先端面に支持部材２５が溶接等により固定され、この支持部材２５等を介してガイド部３と先端部材２とが連結される。図４の斜視図に示すように、支持部材２５は、基端側から先端側に向かって並ぶ内部パイプ支持部２５ａ、ロッド部材支持部２５ｂ、および先端部材連結部２５ｃで構成される。
【００２８】
図５は図２のＶ−Ｖ断面図である。同図に示すように、内部パイプ支持部２５ａは、内部パイプ２２の先端部が嵌合する軸方向の円形孔２６と、ロッド部材２４が挿通される軸方向のロッド部材挿通溝２７とを有する。これら円形孔２６とロッド部材挿通溝２７は互いに繋がり、かつロッド部材挿通溝２７は支持部材２５の外周に開口している。円形孔２６は、内部パイプ支持部２５ａとロッド部材支持部２５ｂの境界部で縮径されて、ロッド部材支持部２５ｂでは弾性部材挿通孔２８（図４）となる。内部パイプ２２の先端部が円形孔２６に嵌合し、その内部パイプ２２の先端面が、円形孔２６と前記弾性部材挿通孔２８との段面２９（図２）に当接している。これにより、内部パイプ２２の径方向および軸方向の移動が規制される。内部パイプ２２と支持部材２５を、溶接等により固定してもよい。
【００２９】
図６は図２のVI−VI断面図である。同図に示すように、ロッド部材支持部２５ｂは、前記円形孔２６の先端側に続く前記弾性部材挿通孔２８と、前記ロッド部材挿通溝２７の先端側に続くロッド部材案内溝３０とを有する。これら弾性部材挿通孔２８とロッド部材案内溝３０との間には、ロッド部材２４の底面を案内する隔壁３１が介在している。ロッド部材案内溝３０に挿通されたロッド部材２４は、ロッド部材案内溝３０の内側面およびロッド部材案内溝３０の底面に接して、軸方向に進退自在に案内される。
【００３０】
図２に示すように、弾性部材挿通孔２８には、工具用回転軸２３と工具１とを連結する回転伝達用弾性部材３２が挿通される。回転伝達用弾性部材３２は、例えば圧縮コイルばねからなる。なお、図６には、回転伝達用弾性部材３２の図示が省略されている。図２、図４、図６に示すように、ロッド部材支持部２５ｂの下部は水平に切り欠かれ、この切り欠かれた部分が逃がし部３３となっている。ロッド部材支持部２５ｂの下部を水平に切り欠くことで、弾性部材挿通孔２８は下部で支持部材２５の外周側と繋がっている。
【００３１】
図４に示すように、先端部材連結部２５ｃは、ロッド部材支持部２５ｂから先端側へ突出する一対の連結用部材３５からなる。これら一対の連結用部材３５には、それぞれ左右方向に貫通する屈曲中心軸孔３６が同軸上に設けられている。そして、図２に示すように、支持部材２５の一対の連結用部材３５と先端部材２の一対の連結用部材３７とが、前記屈曲中心軸孔３６に挿通した屈曲中心軸３８で連結される。これにより、ガイド部３に対して先端部材２が、屈曲中心軸３８回りに屈曲自在に支持される。
【００３２】
ロッド部材２４は、支持部材２５のロッド部材案内溝３０よりも先端側に突出し、その突出端にリンク部材４０の一端が回転自在に連結されている。リンク部材４０の他端は、先端部材２の前記連結用部材３７に回転自在に連結されている。ロッド部材２４が進退運動することで、その進退運動がリンク部材４０を介して先端部材２に屈曲中心軸３８回りの回転運動として伝達され、ガイド部３に対して先端部材２が屈曲中心軸３８回りに屈曲動作を行う。支持部材２５のロッド部材支持部２５ｂに前記逃がし部３３が設けられているため、ガイド部３に対して先端部材２が下向きに屈曲したとき、回転伝達用弾性部材３２が支持部材２５と干渉することを回避できる。
【００３３】
また、支持部材２５から先端部材２にわたり、ガイド部３と先端部材２の連結部の外周を覆う蛇腹状のカバー部材４２が設けられている。これにより、回転伝達用弾性部材３２等の回転体が人体組織と接触して損傷を与えることを防げる。
【００３４】
ハンドピース４のハウジング４ａとガイド部３の基端の連結部は、図７に示される。すなわち、内部パイプ２２、工具用回転軸２３、およびロッド部材２４の基端は外郭パイプ２１よりもハンドピース４側に延びており、内部パイプ２２およびロッド部材２４の外郭パイプ２１よりも延びた部分が支持部材４５により支持されている。支持部材４５は、外郭パイプ２１の基端面に溶接等により固定されている。
【００３５】
図７のVIII−VIII断面図である図８に示すように、支持部材４５は、内部パイプ２２が挿通される円形孔部４６ａと、ロッド部材２４が挿通される溝部４６ｂとでなる軸方向の貫通孔４６を有する。内部パイプ２２は、貫通孔４６の円形孔部４６ａに軸方向に位置固定で挿通される。内部パイプ２２と支持部材４５は、溶接等により固定してもよい。ロッド部材２４は、貫通孔４６の溝部４６ｂの側面および底面（図８では天面）にそれぞれ接する状態で、軸方向に進退自在に案内される。
【００３６】
図７において、支持部材４５は他部よりも径が大きい大径部４５ａを有し、この大径部４５ａを、ハウジング４ａの前面を塞ぐ前面部材４７の筒状部４７ａの先端面と、前記筒状部４７ａの外周に形成された雄ねじ部４８に螺合するナット５０の底面とで両側から挟み込むことで、支持部材４５が軸方向に位置決めされる。また、支持部材４５は、前記大径部４５ａよりもハンドピース４側の外周面にキー溝５１を有し、このキー溝５１と、前面部材４７の筒状部４７ａの内周に形成されたキー溝５２とにキー５３を嵌め込むことで、支持部材４５がハウジング４ａに対して回り止めされる。
【００３７】
ハンドピース４のハウジング４ａは、第１〜第５のハウジング構成部材５４〜５８（第５のハウジング構成部材５８は図１０、図１１に図示）と、前記前面部材４７とで構成される。第１のハウジング構成部材５４は、ハウジング４ａの基端側部分を成す。第２のハウジング構成部材５５は、ハウジング４ａの前後中央部分を成す。第３〜第５のハウジング構成部材５６〜５８はそれぞれでハウジング４ａの先端側部分は成す。第３のハウジング構成部材５６は上部に配置され、第４のハウジング構成部材５７は下部に配置され、左右一対の第５のハウジング構成部材５８は両側部にそれぞれ配置され、これら各ハウジング構成部材５６，５７，５８に囲まれた空間Ｓが形成されている。そして、第３〜第５のハウジング構成部材５６〜５８の先端面に、前記空間Ｓを塞ぐように前面部材４７が固定される。互いに接するハウジング構成部材５４〜５８および前面部材４７は、ボルト（図示せず）で互いに固定される。また、第１ないし第４のハウジング構成部材５４〜５７の外周は、前記ダイヤル部材６の周辺部を除いて、薄板状の外周カバー５９が設けられている。
【００３８】
ハウジング４ａ内には、前記工具１を回転させる工具回転用駆動源６０、前記屈曲操作手段７０の動作変換機構７１、および前記サクション手段９０のサクション用経路等が設けられている。工具回転用駆動源６０および屈曲操作手段７０の動作変換機構７１をハンドピース４に設けると、ハンドピース４の外部に設けられる部品点数が減り、屈曲型加工ツール全体の構成を簡略にできる。
【００３９】
工具回転用駆動源６０は、第１のハウジング構成部材５４内の中空部５４ａに、回転軸心Ｏ３をハンドピース４の中心軸と平行にして設けられている。工具回転用駆動源６０は例えば電動モータであって、前記電気ケーブル８の電源ケーブル（図示せず）を介して電力が伝達される。また、工具回転用駆動源６０の回転量がエンコーダ（図示せず）等により検出され、その検出結果が電気ケーブル８のエンコーダケーブル（図示せず）を介して外部の制御装置（図示せず）に送信される。
【００４０】
工具回転用駆動源６０は先端側に突出する回転出力軸６０ａを有し、この回転出力軸６０ａは、第２のハウジング構成部材５５の中空部５５ａ内で、カップリング６１，６２を介して前記工具用回転軸２３の基端と回転伝達可能に連結される。図９に示すように、回転出力軸６０ａ側のカップリング６１は端面に三角形状の凹部６１ａを有し、かつ工具用回転軸２３側のカップリング６２は端面に三角形状の凸部６２ａを有し、これら凹部６１ａと凸部６２ａが互いに噛み合うことで回転が伝達される。なお、図７に示すように、外郭パイプ２１よりもハンドピース４側に突出した内部パイプ２２の基端部は、第２のハウジング構成部材５５および第４のハウジング構成部材５７を貫通して設けられた軸方向孔６４に挿通されており、内部パイプ２２の基端から工具用回転軸２３の基端が前記中空部５５ａに突出している。
【００４１】
屈曲操作手段７０は、前記ダイヤル部材６と、前記ロッド部材２４と、ダイヤル部材６の回転動作をロッド部材２４の進退動作に変換する動作変換機構７１とでなる。動作変換機構７１は、ハウジング４ａの先端側部分の前記空間Ｓに設けられている。以下、動作変換機構７１について説明する。
【００４２】
図７のＸ−Ｘ断面図である図１０に示すように、ダイヤル部材６は、回転軸心Ｏ４が上下方向を向くウォーム７２の上端にボルト７３で結合されている。ウォーム７２の上下の軸部は、第３および第４のハウジング構成部材５６，５７にそれぞれ軸受７４を介して回転自在に支持されている。ウォーム７２の下端には、スペーサ７５がボルト７６で取り付けられている。
【００４３】
ウォーム７２は、図７のXI−XI断面図である図１１に示すウォームホイール７７と噛み合っている。ウォームホイール７７は、左右方向に延びるピニオン軸７８の左右一端部（図の例では右端部）に、このピニオン軸７８と一体回転するように取り付けられている。ピニオン軸７８は、両端が左右の第５のハウジング部材５８に軸受７９を介して回転自在に支持されている。ピニオン軸７８へのウォームホイール７７の取付けは、具体的には、ウォームホイール７７、右側の軸受７９の内輪（図示せず）、およびスペーサ８０Ａ，８０Ｂを、ピニオン軸７８の右段面７８ａと、ピニオン軸７８の右端面に締結したボルト８２とで挟み付けて共締めしている。また、左側の軸受７９の内輪（図示せず）、およびスペーサ８０Ａ，８０Ｃを、ピニオン軸７８の左段面７８ｂと、ピニオン軸７８の左端面に締結したボルト８２とで挟み付けることで、ピニオン軸７８の左右方向位置が決められている。
【００４４】
ピニオン軸７８の軸方向中央部には、ピニオン８３が形成されている。このピニオン８３は、前後方向に長いラック８４と噛み合っている。ラック８４は、第４のハウジング構成部材５７の上面に形成された案内溝８５に底面および側面が案内されて、前後方向に移動自在である。ラック８４は、ボルト８６（図７）によりロッド部材２４の基端に固定されている。
【００４５】
動作変換機構７１は以上の構成であり、屈曲操作手段７０は以下のように動作する。すなわち、ダイヤル部材６を回転操作すると、その回転がウォーム７２およびウォームホイール７７を介してピニオン軸７８に伝達され、ピニオン８３が回転する。それにより、ラック８４が案内溝８５に沿って前後方向に移動し、ロッド部材２４が進退する。先に説明したように、ロッド部材２４が進退運動することで、ガイド部３に対して先端部材２が屈曲中心軸３８回りに屈曲動作を行う。この実施形態の動作変換機構７１は、コンパクトな構成であり、ロッド部材２４の進退を容易に行うことができる。
【００４６】
上記したように、ダイヤル部材６の回転が、ウォーム７２、ウォームホイール７７の順に伝達されてピニオン軸７８を回転させる。ウォーム７２およびウォームホイール７７の機構上、逆方向の回転は伝達しない。よって、先端部材２に外力が作用してもダイヤル部材６が回転しない。つまり、ウォーム７２およびウォームホイール７７で、逆入力防止機構８７を構成している。
【００４７】
また、図１０に示すように、第３〜第５のハウジング構成部材５６〜５８で構成されるハウジング４ａの先端側部分には、前記ウォーム７２と左右対称の位置（図の例では左側）に、回転軸８８が設けられている。この回転軸８８は、その上下両端部が第３および第４のハウジング構成部材５６，５７にそれぞれ軸受７４を介して回転自在に支持され、上下両端にスペーサ７５がボルト７６で取り付けられている。このように、ウォーム７２と左右対称の位置に回転軸８８が設けてあると、回転軸８８とウォーム７２とを入れ替えることで、右利き用と左利き用とに変更可能である。
【００４８】
図７において、サクション手段９０は、工具用回転軸２３の貫通孔２３ａと、第２のハウジング構成部材５５の中空部５５ａと、第１のハウジング構成部材５４および第２のハウジング構成部材５５にわたって設けられたハウジング内経路９１と、このハウジング内経路部９１の第１のハウジング構成部材５４側の開口端に接続された前記サクション用チューブ９（図１）とで、サクション用経路が構成される。サクション用チューブ９の先は、サクションポンプ（図示せず）に接続されている。工具用回転軸２３の基端は前記中空部５５ａ内に挿入されており、その外周面に設けられた開口９２を介して、貫通孔２３ａと中空部５５ａとが互いに連通している。ハウジング内経路部９１の中間部には、バルブ９５が設けられている。このバルブ９５は、前記レバー部材７の操作で開閉される。
【００４９】
第４のハウジング構成部材５７の軸方向孔６４と内部パイプ２２との間にはＯリング９３が設けられ、第２のハウジング構成部材５５の中空部５５ａから軸方向孔６４を通って液体等が漏れないようになっている。また、中空部５５ａの内周面と前記回転出力軸６０ａ側のカップリング６１の外周面との間にはラビリンス構造のシール構造９４が形成され、第２のハウジング構成部材５５の中空部５５ａから第１のハウジング構成部材５４の中空部５４ａへ液体等が漏れないようになっている。さらに、ハウジング内経路９１を囲んで第１のハウジング構成部材５４と第２のハウジング構成部材５５の接合面にＯリング９６が設けられ、ハウジング内経路部９１から液体等が漏れないようになっている。
【００５０】
この屈曲型加工ツールを用いた関節鏡視下手術の方法について説明する。
操作者は、ハンドピース４を片手（図の例では右手）で握って屈折型加工ツールを確保する。詳しくは、手のひらをハンドピース４の上面側に当て、小指、薬指、および中指をハンドピース４の右側面から下面に沿わせて握る。親指はハンドピース４の左側面側に、また人差し指は右側面側にそれぞれ位置するが、これら親指および人差し指は添える程度であっても、手のひらと小指、薬指、および中指とでハンドピース４をしっかりと保持することができる。そのため、ハンドピース４を持つ手の人差し指でダイヤル部材６をダイヤル操作することが可能である。
上記のように屈折型加工ツールを確保した状態で、関節鏡で患部の位置を確認しながら、屈折型加工ツール全体の位置および姿勢を調整し、かつダイヤル部材６の回転操作で先端部材２の屈曲角度を調整して、工具１の先端位置を定める。工具回転用駆動源６０のＯＮ・ＯＦＦ操作は、フットスイッチ（図示せず）またはハンドピース４に設けたボタンスイッチ（図示せず）により行う。工具回転用駆動源６０が回転すると、その回転が工具用回転軸２３および回転伝達用弾性部材３２を介して工具１に伝達されて、工具１が回転する。それにより、患部の骨または軟組織を切削する。
【００５１】
施術中、サクション用ポンプ（図示せず）は常に駆動させておく。切削物により関節鏡の視界が悪くなった場合、レバー部材７を操作してバルブ９５を開くことで、同時に供給される生理食塩水等の液体と共に切削物を吸引する。レバー部材７の操作も、ハンドピース４を持つ手の人差し指または親指で行うことができる。このサクション手段７０による切削物の吸引は、必要時にだけ行う。
【００５２】
ウォーム７２の歯の進み角を小さくすることで、ウォーム７２およびウォームホイール７７で逆入力防止機構が構成されているので、工具１に切削力が作用してもその力がダイヤル部材６に伝達されることがなく、操作者が先端部材２の屈曲角度を維持するための労力を必要としない。また、高い減速比をとれるため、工具１の位置および角度の変更を軽い力で行うことができ、正確な加工が可能となる。また、先端部材２の屈曲角度を剛性体であるロッド部材２４で操作する構成としたことにより、先端部材２の角度保持剛性が高くなり、座屈等の心配もないため、切削性が良く、安全性が高い。
【００５３】
ダイヤル部材６およびウォーム７２の回転軸心Ｏ４は、工具回転用駆動源６０の回転軸心Ｏ３に対して垂直な面内に位置している。そのため、ハンドピース４を握る手の指を工具回転用駆動源６０の回転軸心Ｏ３と平行に動かすことで、ダイヤル部材６を回転操作することが可能である。操作者がハンドピース４をしっかり握った状態でも、ダイヤル部材６を良好に操作できる。また、ダイヤル部材６がハンドピース４の上面部に設けられているため、ハンドピース４にほとんど添えているだけである人差し指を工具回転用駆動源６０の回転軸心Ｏ３と平行に動かしてダイヤル部材６を回転操作することが可能となり、ダイヤル部材６の操作性が良い。
【００５４】
この屈曲型加工ツールは、工具１の交換や洗浄等のために、ハンドピース４に対してガイド部３を取外し可能である。次に、ガイド部３の脱着方法を説明する。
ハンドピース４からガイド部３が取り外された状態では、ガイド部３の先端に先端部材２が屈曲可能に設けられ、外郭パイプ２１の基端から内部パイプ２２、工具用回転軸２３、およびロッド部材２４が突出している。工具用回転軸２３の基端にはカップリング６２が一体に取り付けられ、ロッド部材２４の基端にはラック８４が一体に取り付けられている。また、外郭パイプ２１の基端には支持部材４５が固定され、この支持部材４５の外周にナット５０が螺着されている。
【００５５】
ハンドピース４にガイド部３を取り付けるには、まず内部パイプ２２を、第４のハウジング構成部材５７の軸方向孔６４に挿通する。その状態で、ガイド部３をハンドピース４側に軸方向へ移動させ、ガイド部３側の支持部材４５とハンドピース４側の前面部材４７とが互いに近接して対向するようになったら、支持部材４５のキー溝５１に嵌め込んだキー５３を前面部材４７のキー溝５２に対して位相を合わせて嵌め込む。これにより、ハンドピース４に対してガイド部３が回り止めされる。さらにガイド部３を軸方向に移動させると、ラック８４がピニオン８３に当たる。そうしたら、ダイヤル部材６を回してラック８４とピニオン８３を噛み合わせてから、さらにガイド部３を軸方向に移動させる。そして、支持部材４５が前面部材４７に当接したなら、ナット５０を締付方向に回して、前面部材４７とナット５０とで支持部材４５を挟み付けて固定する。このようにハンドピース４に対してガイド部３の軸方向に位置決めすることにより、回転出力軸６０ａ側のカップリング６１と工具用回転軸２３側のカップリング６２とが噛み合った状態となり、工具回転用駆動源６０の回転が工具用回転軸２３へ回転伝達可能となる。
ハンドピース４からガイド部３を取り外す場合は、上記と逆の操作を行えばよい。
【００５６】
以下、この発明の異なる実施形態について説明する。
図１２は、工具が異なる実施形態を示す。この実施形態の工具１は、中空孔１５を有する筒状部１ａと、この筒状部１ａの先端に設けられた球面状の切削部１ｂとからなる。切削部１ｂは、砥石により形成されたものであるか、または外周に複数の歯が形成されたものであり、回転することで骨等の切削等を行う。この工具１の場合、筒状部１ａにおける切削部１ｂの近傍に、中空孔１５と外部とを連通する開口１０１が設けられており、この開口１０１を通じて切削物等を吸引する。
【００５７】
図１３は、ロッド部材２４と先端部材２の連結部が異なる実施形態を示す。図２の実施形態が、リンク部材４０を介してロッド部材２４と先端部材２を連結しているのに対して、この実施形態は、形状記憶合金やゴム材等からなる弾性部材１０３を介してロッド部材２４と先端部材２を連結している。ロッド部材２４と弾性部材１０３、および先端部材２と弾性部材１０３は、それぞれ溶接や接着等により固定されている。ロッド部材２４が進退すると、弾性部材１０３が径方向に変形しながら先端部材２を押し引きすることにより、先端部材２が屈曲中心軸３８回りに屈曲動作を行う。
【００５８】
図１４は、ロッド部材２４と先端部材２の連結部がさらに異なる実施形態を示す。この実施形態は、ロッド部材２４の先端が曲面形状、例えば半球形状となっており、その曲面形状の先端が先端部材２の基端面に直接に接触している。ロッド部材２４と先端部材２の接触部の法線がガイド部３の軸心すなわち外郭パイプ２１の軸心Ｏ２に対して傾くように、先端部材２の基端面は傾斜させてある。また、外郭パイプ２１と先端部材２とは、両者の外周部に設けた圧縮コイルばね１０５で連結されている。
この構成の場合、ロッド部材２４が先端部材２側へ前進すると、先端部材２が図の下向きに屈曲し、後退すると圧縮コイルばね１０５の復元力により先端部材２が元の姿勢に戻る。圧縮コイルばね１０５は、回転伝達用弾性部材３２等の回転体が人体組織と接触して損傷を与えることを防ぐカバーとしての役割も担っている。
【００５９】
図１５は、工具回転用駆動源６０の回転出力軸６０ａ（図７）と工具用回転軸２３（図７）のカップリング部の異なる例を示す。このカップリング部は、回転出力軸６０ａ側のカップリング１０７に設けられた溝部１０７ａに、工具用回転軸２３側のカップリング１０８に設けられた突起部１０８ａが嵌り込み、溝部１０７ａの壁面に突起部１０８ａが接触することで、カップリング１０７からカップリング１０８へ回転を伝達する構成である。突起部１０８ａは、カップリング１０８の軸部１０８ｂと一体成形されていてもよく、または溶接等に軸部１０８ｂに固定しても良い。
【００６０】
図１６ないし図１９は、この発明の異なる実施形態を示す。図１６に示すように、この屈曲型加工ツールは、工具回転用駆動源６０がハンドピース４から離れた箇所、例えばＬ形の駆動源設置台１２０に設置されている。工具回転用駆動源６０の回転は、可撓性の工具回転用ケーブル１２１を介してハンドピース４内の工具用回転軸２３（図１７）の基端へ伝達される。工具１、先端部材２、およびガイド部３は、図１〜図１１の実施形態と同じであるので、説明を省略する。
【００６１】
図１７に示すように、この屈曲型加工ツールのハンドピース４は、工具回転用駆動源６０が設けられていない点が図７のハンドピース４と異なる。また、このハンドピース４のハウジング４ａは、図７のハンドピース４における第１のハウジング構成部材５４および第２のハウジング構成部材５５に相当する統合ハウジング構成部材１１１、第３のハウジング構成部材５６、第４のハウジング構成部材５７、一対の第５のハウジング構成部材５８、および前面部材４７で構成される。
【００６２】
前記統合ハウジング構成部材１１１は中空部１１２を有し、この中空部１１２内に、工具回転用ケーブル１２１のインナワイヤ１２４と工具用回転軸２３とを回転伝達可能に連結するカップリング６１，６２が収容される。カップリング６１，６２は、図９に示すものと同様の構造である。中空部１１２は統合ハウジング構成部材１１１の基端面に開口する形状であり、その開口は、後記雄ねじ部材１３２のフランジ部１４０により塞がれている。
【００６３】
このハンドピース４のサクション用経路は、工具用回転軸２３の貫通孔２３ａと、前記中空部１１２と、統合ハウジング構成部材１１１に設けられたハウジング内経路１１３とで構成される。貫通孔２３ａと中空部１１２とは、工具用回転軸２３の基端の外周面に設けられた開口９２を介して、互いに連通している。第４のハウジング構成部材５７の軸方向孔６４と内部パイプ２２との間にはＯリング９３が設けられ、統合ハウジング構成部材１１１の中空部１１２から軸方向孔６４を通って液体等が漏れないようになっている。また、統合ハウジング構成部材１１１と前記フランジ部１４０の接合面にＯリング１１４が設けられ、中空部１１２から外部へ液体等が漏れないようになっている。
【００６４】
前記工具回転用ケーブル１２１は、例えば図１８に示す構造をしている。すなわち、可撓性のアウタチューブ１２３の中心に、可撓性のインナワイヤ１２４が、複数の転がり軸受１２６によって回転自在に支持されている。そして、インナワイヤ１２４の両端が、工具回転用駆動源６０の回転出力軸（図示せず）および前記カップリング６１（図１７）にそれぞれ繋がれている。各転がり軸受１２６間には、これら転がり軸受１２６に予圧を発生させるためのばね要素１２７Ａ，１２７Ｂが設けられている。ばね要素１２７Ａ，１２７Ｂは、例えば圧縮コイルばねである。転がり軸受１２６の内輪に予圧を発生させる内輪用ばね要素１２７Ａと、外輪に予圧を発生させる外輪用ばね要素１２７Ｂとがあり、これらが交互に配置されている。このように、ばね要素１２７Ａ，１２７Ｂにより転がり軸受１２６に予圧をかけることにより、インナワイヤ１２４を高速回転させることができる。
【００６５】
図１６において、工具回転用ケーブル１２１のアウタチューブ１２３の両端には、このアウタチューブ１２３を駆動源設置台１２０またはハンドピース４に結合する継手１３１が設けられている。図１９に示すように、継手１３１は、雄ねじ部材１３２と雌ねじ部材１３３とで構成される。
【００６６】
雄ねじ部材１３２は、内周に貫通孔１３７が形成された筒状の部材であって、軸方向中央部の外周に雄ねじ部１３８が形成されている。雄ねじ部材１３２の軸方向の一方端には、内径および外径が同一径で軸方向に延びる円筒部１３９が設けられている。この円筒部１３９の外径は、アウタチューブ１２３の内径部に嵌合する寸法とされている。また、軸方向の他方端には、外径側に拡がるフランジ部１４０が設けられている。このフランジ部１４０は駆動源設置台１２０またはハンドピース４に結合する結合手段であって、円周方向複数箇所に、ボルト等の固定具を挿入するための通孔１４１が形成されている。前記貫通孔１３７は、円筒部１３９側からフランジ部１４０側に向かって、小径部１３７ａ、中径部１３７ｂ、大径部１３７ｃの順に段階的に内径が大きくなっている。中径部１３７ｂには、インナワイヤ１２４を回転自在に支持する転がり軸受１４２が嵌め込まれる。
【００６７】
雌ねじ部材１３３は、円筒状部１４４と、この円筒状部１４４の一端から内径側へ延びるつば状部１４５とを有する筒状の部材であって、円筒状部１４４の内周先端側に、前記雄ねじ部材１３２の雄ねじ部１３８に螺合する雌ねじ部１４６が形成されている。つば状部１４５の内径は、アウタチューブ１２３が外周に嵌合する寸法とされている。
【００６８】
アウタチューブ１２３を駆動源設置台１２０またはハンドピース４に結合する際には、まず、雄ねじ部材１３２の円筒部１３９をアウタチューブ１２３の内径部に嵌合させ、かつ雌ねじ部材１３３のつば状部１４５をアウタチューブ１２３の同一端の外径部に嵌合させた状態で、雄ねじ部材１３２の雄ねじ部１３８と雌ねじ部材１３３の雌ねじ部１４６とを螺合させる。これにより、雄ねじ部材１３２の円筒部１３９と雌ねじ部材１３３のつば状部１４５とで、アウタチューブ１２３の一端を内外から挟み込んで固定する。インナワイヤ１２４は、雄ねじ部材１３２の貫通孔１３７に挿通し、貫通孔１３７の中径部１３７ｂに嵌め込んだ転がり軸受１４２によって支持させる。次いで、雄ねじ部材１３２のフランジ部１４０を駆動源設置台１２０またはハンドピース４に結合する。この結合は、通孔１４１に挿通したボルト等の固定具(図示せず)によって行う。
【００６９】
ハンドピース４側の雄ねじ部材１３２のフランジ部１４０をハンドピース４（図１６）に結合すると、インナワイヤ１２４側のカップリング６１が工具用回転軸２３（図１７）側のカップリング６２（図１７）と結合して、インナワイヤ１２４から工具用回転軸２３へ回転伝達が可能となる。また、フランジ部１４０を駆動源設置台１２０（図１６）に結合すると、インナワイヤ１２４側のカップリング６１が駆動源設置台１２０側のカップリング（図示せず）と結合して、工具回転用駆動源６０の回転出力軸（図示せず）からインナワイヤ１２４へ回転伝達が可能となる。
【００７０】
雄ねじ部１３８と雌ねじ部１４６の螺合を外すことで、雄ねじ部材１３２の円筒部１３９および雌ねじ部材１３３のつば状部１４５による拘束からアウタチューブ１２３が解放され、アウタチューブ１２３と駆動源設置台１２０またはハンドピース４との結合が解除される。
【００７１】
このように、工具回転用駆動源６０をハンドピース４から離れた位置に設置すると、ハンドピース４を小型化、軽量化して、操作者の負担を軽減させることができる。また、工具回転用駆動源６０のような電気部品をハンドピース４から離れた清潔な領域に設置することが可能となり、工具回転用駆動源６０およびその周辺部品の滅菌が不要となるため、メンテナンス性が向上し、工具回転用駆動源６０等のコスト低減を図れる。
【００７２】
加工の仕上がりを良くするには、工具１を高速回転させて加工するのが良い。工具１を高速回転させると、工具１に作用する切削抵抗を低減させる効果もある。工具１の高速回転を実現させるには、工具回転用ケーブル１２１のインナワイヤ１２４を支持する転がり軸受１２６に予圧をかけておくことが必要である。この例のように、予圧のためのばね要素１２７Ａ，１２７Ｂを隣合う転がり軸受１２６間に設ければ、工具回転用ケーブル１２１の径を大きくせずにばね要素１２７Ａ，１２７Ｂを設けることができる。
【００７３】
次に、この発明の屈曲型加工ツールを工業用加工ツールとして用いる場合について説明する。
図２０の屈曲型加工ツールは、金属や非金属の切削加工において、一般の工具では届かない部位の切削加工やバリ取りを行う工業用加工ツールである。工具１としては、図１２に示すものと同様に、先端に球面状の切削部を有するものを使用している。この工具１は、砥石により形成されたものであるか、または外周に複数の歯が形成されたものである。これ以外は、構造的には、図１〜図１１の医療用整形ツールとして用いられる屈曲型加工ツールと同じ構成である。
【００７４】
ただし、工業用加工ツールでは、医療用整形ツールのサクション手段９０に代えて、潤滑油供給手段１５０が設けられる。潤滑油供給手段１５０は、サクション用経路と同様に、ガイド部３内の工具用回転軸の貫通孔２３ａ（図７）と、ハンドピース４内の中空部（図７）およびハウジング内経路９１（図７）と、サクション用チューブ９に代わる潤滑油供給用チューブ１５１（図２０）とで、潤滑油供給用経路が構成される。そして、潤滑油供給用チューブ１５１の先に、潤滑油タンク（図示せず）内の潤滑油を潤滑油供給用チューブ１５１に送り込む潤滑油供給ポンプ（図示せず）に接続されている。ハウジング内経路部９１（図７）に、バルブ９５（図７）が設けられる。このバルブ９５は、レバー部材７の操作で開閉される。
【００７５】
加工時にレバー部材７を操作してバルブを開くことで、工具１に設けられた開口１０１（図１２）から潤滑油が吐出される。この潤滑油によって切削または研削により生じた削り屑が加工部から良好に排出されると共に、加工部が冷却される。これにより、切削性が向上する。工業用内視鏡（図示せず）と共に使用すれば、工業用内視鏡から得られる画像を見ながら加工したい部位を見ながら加工することができる。
【００７６】
図２１は、潤滑油供給手段１５０（図２０）を有しない工業用加工ツールを示す。この工業用加工ツールでは、ハンドピース４の内部は図２２のようになる。すなわち、図７のハンドピース４と比べて、ハウジング内経路９１およびバルブ９５が設けられていない。また、ハウジング４ａの上面に、レバー部材７が設けられていない。この工業用加工ツールの場合、加工部に対して外部から潤滑油を供給してもよい。
【符号の説明】
【００７７】
１…工具
２…先端部材
３…ガイド部
４…ハンドピース
６…ダイヤル部材
２１…外郭パイプ
２２…内部パイプ
２３…工具用回転軸
２３ａ…貫通孔
２４…ロッド部材
６０…工具回転用駆動源
７０…屈曲操作手段
７１…動作変換機構
７２…ウォーム
７７…ウォームホイール
８３…ピニオン
８４…ラック
８７…逆転防止機構
９０…サクション手段
１２１…工具回転用ケーブル
１２３…アウタチューブ
１２４…インナワイヤ
１２６…転がり軸受
１２７Ａ…内輪用ばね要素
１２７Ｂ…外輪用ばね要素
Ｏ３…工具回転用駆動源の回転軸心
Ｏ４…ダイヤル部材の回転軸心
【図１】
2015221476.tif 000003
【図２】
2015221476.tif 000004
【図３】
2015221476.tif 000005
【図４】
2015221476.tif 000006
【図５】
2015221476.tif 000007
【図６】
2015221476.tif 000008
【図７】
2015221476.tif 000009
【図８】
2015221476.tif 000010
【図９】
2015221476.tif 000011
【図１０】
2015221476.tif 000012
【図１１】
2015221476.tif 000013
【図１２】
2015221476.tif 000014
【図１３】
2015221476.tif 000015
【図１４】
2015221476.tif 000016
【図１５】
2015221476.tif 000017
【図１６】
2015221476.tif 000018
【図１７】
2015221476.tif 000019
【図１８】
2015221476.tif 000020
【図１９】
2015221476.tif 000021
【図２０】
2015221476.tif 000022
【図２１】
2015221476.tif 000023
【図２２】
2015221476.tif 000024